(57)【特許請求の範囲】
【請求項１】
生体の異なる２点間の生体インピーダンスを検出する生体インピーダンス測定手段と、生体の異なる２点に接触させる一対の電極群と、身体情報を入力する入力手段と、検出結果を表示する表示手段と、前記生体インピーダンス測定手段と電極群と入力手段と表示手段を格納する本体と、前記本体を生体に装着させる装着手段を備え、前記本体は前記装着手段が固定された第１ブロックと、その表面に一対の電極群のうち一方が配置された第２ブロックとからなり、第２ブロックは第１ブロックに対し装着手段が固定された表面側に傾斜して配置され、前記第２ブロックは前記第１ブロックとの接続部を軸に回転可能に構成され、第２ブロックの第１ブロックに対する角度の情報を検出する角度検出手段をもち、前記角度検出手段の角度検出結果を用いて身体組成検出手段への身体情報の入力を行なう身体組成検出装置。
【発明の詳細な説明】
【０００１】
【発明の属する技術分野】
本発明は、心電信号や生体インピーダンスなどの生体情報を検出する生体情報検出装置、または、生体情報検出装置により測定された生体インピーダンスを用いて体脂肪量、体脂肪率や、除脂肪体重などの身体組成を検出する身体組成検出装置に関するものである。
【０００２】
【従来の技術】
従来の心電信号や生体インピーダンスなどの生体情報を検出する生体情報検出装置は、生体と電気的な接続が必要不可欠であり、臨床検査等においては生体電極を必要な個所の生体の表面に貼り付けるなどして固定し、生体電極を介して生体と生体情報検出装置との間の電気的な接続を図っていた。また、近年は家庭でも手軽に生体情報を検出して日々の健康管理に役立てることができる生体情報検出装置が開発されており、例えば、特開平１１−１８８０１６号公報に開示される体脂肪計は生体の異なる２点間のインピーダンスを検出し、検出されたインピーダンスを用いて体脂肪量を測定するものであり、図９に示すように、装置の両側に設けられた握り部にそれぞれ電流印加電極３ａ、４ａと電圧測定電極３ｂ、４ｂを設け、２つの握り部を左右の手で握ることにより生体と装置との間の導通が図られて、電流印加電極から測定電流を印加し、電圧測定電極により測定電流によって発生する両手間の電位差を求めることにより両手間の生体インピーダンスの測定を行ない、その測定結果から体脂肪量を算出している。
【０００３】
また、心電を採取する生体情報検出装置では、例えば、特開平７−８８０９０号公報に開示されるような手首に装着し心電信号と指尖容積脈波とを測定して両者の時間差から血圧を測定する腕時計型血圧計の場合、図１０に示すように手首に装着された測定器の表面と裏面（破線にて表示）に電極３、４が設けられ、裏面の電極３は手首装着した時点で手首の生体表面と接触し、表面の電極４は機器が装着されない方の腕の指を電極に押し付けることにより両腕が別々の電極に接触し、これにより左右の上肢の２点の電位差から心電信号を検出することができる。
【０００４】
さらに、特開２００１−７０２５９公報の体脂肪血圧計では、図１１に示すように手首に装着するカフ加圧式血圧計に体脂肪測定機能を加えたもので体脂肪測定用の電極が装着手段であるカフ１の手首に接する部分に第１の電極３、本体２の横側に第２の電極４が配置されている。本体部分を腕に垂直方向に延長し、延長部分の表面に第２の電極４を配置することにより、体脂肪の測定の際に、本体を装着した側の腕と第２の電極４に接触させる側の指との接触を防止し、接触による生体インピーダンスの測定誤差が発生しないようにしている。
【０００５】
【発明が解決しようとする課題】
しかしながら、上記従来の生体情報検出装置では、両手で握る形状の場合、握りの部分が大きくなってしまい、携帯しやすい小さな形状とし難い。
【０００６】
また、手首に装着し指を押し付ける形状の場合は、生体情報検出装置が装着された側の腕と装置本体の表面の電極に押し付ける指とが接触して正しく測定できない場合がある。
【０００７】
さらに、両腕間の接触による測定誤差の発生を防止するために装置を装着した腕からある程度離すことにより接触を防止する構成の場合、単純に本体を腕から離しただけでは、装置が装着されない側の指を電極へ接触させる際に手首を無理に曲げるなど姿勢に多少の無理がかかり、無理な姿勢に起因する生体の振動の影響を受けるため、接触が安定せず測定誤差が発生したり、測定値が安定しないという課題があった。
【０００８】
【課題を解決するための手段】
本発明は上記課題を解決するために、生体の異なる２点間の生体インピーダンスを検出する生体インピーダンス測定手段と、生体の異なる２点に接触させる一対の電極群と、身体情報を入力する入力手段と、検出結果を表示する表示手段と、前記生体インピーダンス測定手段と電極群と入力手段と表示手段を格納する本体と、前記本体を生体に装着させる装着手段を備え、前記本体は前記装着手段が固定された第１ブロックと、その表面に一対の電極群のうち一方が配置された第２ブロックとからなり、第２ブロックは第１ブロックに対し装着手段が固定された表面側に傾斜して配置され、前記第２ブロックは前記第１ブロックとの接続部を軸に回転可能に構成され、前記第２ブロックの前記第１ブロックに対する角度の情報を検出する角度検出手段をもち、前記角度検出手段の角度検出結果を用いて身体情報の入力を行なう。
【０００９】
上記構成により、装着手段により本体を生体に装着したとき、第２ブロックが装着手段に固定された第１ブロックに対し、第１ブロックの装着手段が配置された側に傾斜して配置されるので、本装置を装着してない側の上肢の第２ブロックへ接触させる場合に自然な姿勢で電極に接触させることが可能で、また、そのために不安定な姿勢に起因する生体の微妙な振動によるよる測定信号のノイズも少なくなるためにより正確な生体インピーダンスの検出が可能で、使いやすくかつ正確な生体上を検出できる身体組成検出装置を提供できる。また、第２ブロックは第１ブロックとの接続部を軸に回転可能に構成されるので、測定者が一番測定しやすい位置で第２ブロックの表面に配置された電極に接触させることができる上、身体組成の検出に必要な体重、身長、年齢、性別といった数値を入力する際に、第２ブロックと第１ブロックとの角度で数字の増減、変化させる速度を変えることができるので、面倒な作業を効率よく行なう事ができる。
【００１０】
【発明の実施の形態】
【００１１】
【実施例】
以下、本発明の実施例について図面を用いて説明する。
【００１２】
（実施例１）
図１は本発明の実施例１における身体組成検出装置のブロック図、図２は同装置の外観図である。なお、本実施例の身体組成検出装置は左右上肢間の生体インピーダンスを検出しその値と測定者の身長、体重などの身体情報とから測定者の体脂肪量を測定する体脂肪計であり、左手首に装着して使用する形態のものの例を示す。図中、１は手首に装着するための装着手段であるバンド、２は本体であり２ａは装着手段により手首に固定される第１ブロック、２ｂは第１ブロックの端部に対し装着手段１の取り付けられた平面側に傾斜して接続された第２ブロック、３は第１ブロック２１の手首側の表面の手首と接触する位置に配置された第１の電極群、４は第２ブロックの両側面上に配置され装着手段が装着された手首とは異なる側の手の指を接触させる第２の電極群、５は第１ブロックまたは第２ブロックの表面に配置され測定の開始を指示したり必要な項目を入力するための入力手段、６は結果を表示する表示手段である。
【００１３】
第１ブロックの内部には、生体インピーダンス測定手段７と身体組成検出手段である体脂肪量演算手段８が格納されており、生体インピーダンス測定手段７は測定電流印加手段７ａと電圧検出手段７ｂと生体インピーダンス算出手段７ｃとからなっている。このうち測定電流印加手段７ａは第１の電極群３の電流極３ａと第２の電極群４の電流極４ａに接続され両者の間に５０ｋＨｚ０．５ｍＡの正弦波定電流を印加し、電圧検出手段７ｂは第１の電極群３の電圧極３ｂと第２の電極群４の電圧極４ｂに接続されこれら二つの電圧極の間の電位差を検出し、生体インピーダンス算出手段７ｃでは測定電流印加手段７ａが生体に印加する測定電流の大きさと電圧検出手段７ｂが検出する電位差に基づいて、生体インピーダンスを算出している。
【００１４】
体脂肪量演算手段８では入力手段５から入力された年齢と性別のパターンから複数の計算式の中から算出に用いる計算式を選択し、入力手段５から入力された身長、体重の値と生体インピーダンス算出手段７ｃから出力された生体インピーダンスの値を計算式に代入して体脂肪量を求め、この体脂肪量の値が表示手段６に出力されて表示される。上記のうち、入力手段５は電源ボタン５ａ、測定スタートボタン５ｂ、決定ボタン５ｃ、増加ボタン５ｄと減少ボタン５ｅとからなっており、電源ボタン５ａは装置電源のオン／オフ、測定スタートボタン５ｂは測定開始の際に押すボタンである。また、生体インピーダンス測定手段ボタン５ｃ、増加ボタン５ｄ、減少ボタン５ｅは体重、身長などの体脂肪測定に必要な身体情報を入力するための用いられ、生体インピーダンス測定手段ボタン５ｃを押すことにより入力画面が表示されると増加ボタン５ｄと減少ボタン５ｅで数字を増減させて被験者の数字に合わせ、もう一度生体インピーダンス測定手段ボタン５ｃを押す事により身体情報の入力を行なうとともにつぎの項目の画面に移る。
【００１５】
上記構成による作用について説明する。図３にフローチャートを示す。まず、本体２の入力手段５にある電源ボタン５ａを押し電源をＯＮする（Ｓ１）と、身長入力画面が表示され（Ｓ２）、身長のデフォルト値１６０ｃｍが表示されて点滅している。この状態で増加ボタン５ｄ（Ｓ３）または減少ボタン５ｅ（Ｓ５）を押して表示手段６に表示される値を変更し（Ｓ４、Ｓ６）自分の身長の値に合わせて決定ボタン５ｃを押し（Ｓ７）、数値を確定させる（Ｓ８）とともに、体重の入力に進む（Ｓ９）。
【００１６】
体重でも身長入力時と同様な操作で設定する値に表示を合わせ、決定ボタン５ｃを押して（Ｓ１４）数値を確定させる（Ｓ１５）ととともに、年齢、性別入力の操作に進む（Ｓ１６）。ここでは大人、子供と男、女による４つの組み合わせパターンを増加ボタン５ｄ（Ｓ１７）または減少ボタン５ｅ（Ｓ１９）を押すことにより順次表示していき（Ｓ１８、Ｓ２０）、設定する組み合わせが表示された時に決定ボタン５ｃを押す（Ｓ２１）ことにより設定が保存される（Ｓ２２）。
【００１７】
すべての設定が完了すると、測定スタートボタン５ｂを押し（Ｓ２３）生体インピーダンス測定を開始する（Ｓ２４）。生体インピーダンス測定では測定者が第２の電極群を掴んだ状態で１０秒ほど安静にすると、その間に電流印加手段７ａが第１の電極群３の電流極３ａと第２の電極群４の電流極４ａを介して左手の手首と右手親指の間に５０ｋＨｚ０．５ｍＡの正弦波による測定電流電流を印加し、電圧検出手段７ｂが第１の電極群３の電圧極３ｂと第２の電極群４の電圧極４ｂを介して左手の手首と右手親指の間の電圧を測定し、生体インピーダンス算出手段７ｃが測定電流印加手段７ａにより生体に印加される測定電流の大きさと電圧検出手段７ｂにより検出される電位差とに基づいて生体インピーダンスを算出し、体脂肪量演算手段８があらかじめ選択された年齢と性別の組み合わせから適用する算出式を選択し、生体インピーダンス測定手段７ｃが測定した生体インピーダンスと、入力手段５により入力された身長、体重を算出式に代入して体脂肪量を求め（Ｓ２５）、求められた体脂肪量を表示手段６に表示（Ｓ２６）して測定を終了する。
【００１８】
なお、測定終了後、６０秒間内に何の操作も行なわない場合（Ｓ２７）、電源が自動的に落とされ（Ｓ２８）無駄な電力を消費しないような構成としている。
【００１９】
なお、本実施例では測定電流印加手段７ａが第１の電極群３の電流極３ａと第２の電極群４の電流極４ａとの間に流す電流は電極間のインピーダンスが変化しても一定電流となるように調整されており、生体インピーダンス算出手段７ｃではあらかじめこの値を記憶してインピーダンスの算出を行っている。
【００２０】
本実施例の身体組成検出装置は、第２ブロック２ｂが第１ブロックに対しバンド１側に４５°傾斜して接続された構成になっているが、これは、傾斜を持たせることにより、第２ブロック４ｂの両側の側面に配置された第２の電極群４に右手の指を接触させる際に無理な姿勢にならないようにするためである。測定の際は、図４（ａ）のように装着手段１を用いて左手首に装着し、第２ブロック２ｂの肘側と掌側の相対する２面の側面に配置された第２の電極群４のうち、肘側の側面に配置された電圧極４ｂへ右手親指を、掌側の側面に配置された電流極４ａへ中指と薬指と小指の３本の指を接触させることにより、第２ブロック２ｂの両側面を右手で掴むようにしている。
【００２１】
このとき、測定者は、第２ブロック２ｂを右手で掴む際に第２ブロックの横側をすべての指の指先でしっかりと掴もうとするため、第２ブロックの横側に合わせて右手の中指、薬指、小指の指先を一直線に並ぶように配置しようとするが、例えば、従来の構成で示したような第２ブロック２ｂが第１ブロック２ａをそのまま延長した状態で配置される場合には、右手の中指、薬指、小指の指先を一直線に並ぶようにするためには図４（ｂ）に示すように右手の手首９を曲げた不自然な状態になりやすい。しかし、本実施例では第２ブロック２ｂが装着手段により左手首に装着された第１ブロック２ａに対してバンド１２ａの側へ４５°という適度な角度を持って配置されているので、図４（ａ）のように右手の手首がまっすぐな自然な姿勢になっており、手首を曲げた不自然な姿勢とはならない。
【００２２】
従って、測定者が自然な姿勢で第２の電極群と接触させる事ができ、無理に力をかけることがないので測定者の負担が少なく、安定した測定ができる。また、測定姿勢に無理がかからないので、無理な測定姿勢に起因する微妙な震えが発生することがなく、安定して電極に指を接触させることが可能で、微妙な震えなどによるノイズの混入を防ぎ、正確な測定が可能となるといった効果もある。
【００２３】
なお、本実施例では、第２ブロックの第１ブロックに対する傾斜角度を４５°としたが、この値に限らず、１５°から７５°の範囲であればよく、より望ましくは３０°から６０°の範囲で傾斜させるとよい。
【００２４】
（実施例２）
図５は本発明の実施例２における身体組成検出装置のブロック図、図６は同装置の外観図、図７は同装置の詳細断面図である。本実施例の実施例１との相違点は、第２ブロック２ｂが第１ブロック２ａと回転可能に接続されており、適当な角度を選択した時にその角度で固定する固定バネ１２ａと、固定を解除する固定解除レバー１２ｂとを持つ点、および、第１ブロックと第２ブロックとの角度を検出するエンコーダ１１（角度検出手段）を持ち、エンコーダ１１の出力値により入力手段の入力を変化させる点にある。
【００２５】
実施例１では第１ブロック２ａと第２ブロック２ｂの角度は固定されていたが、人により自然な姿勢は様々に変化する。そこで、実施例２の身体組成検出装置では、第１ブロック２ａと第２ブロック２ｂとの間を回転可能に接続し、測定者の好みの角度にすることができる構成としている。また、固定バネ１２ａにより角度が固定されると、固定解除レバー１２ｂで固定を解除しないと回転しない構成とし、装着時や測定時など回転が不要な時には回転しない。また、第１ブロック２ａと第２ブロック２ｂの角度を検出するエンコーダ１１を設けて角度情報を採取し、角度情報を用いて身長や体重の入力に用いている。
【００２６】
図５、図６、図７において、１０は第１ブロック２ａと第２ブロック２ｂを回転可能に接続する回転軸で、エンコーダ１１は回転軸９の角度を検出する。回転軸１０は２つの円筒からなり、外側の円筒１０ａが第１ブロック２ａに固定され、内側の円筒１０ｂが第２ブロック２ｂに固定され、内側の円筒１０ｂが外側の円筒１０ａで挟まれて回転する。第２ブロック２ｂの回転角度は上側が第１ブロックと同じ角度まで、下側は水平から下側へ６０°までとしている。エンコーダ１１は回転軸１０の片側の端部に装着され、回転軸１０の２つの円筒の角度に応じてエンコーダ１０内の２枚の円盤１１ａ、１１ｂも円筒と同じ回転をするように設置されており、２枚の円盤１１ａ、１１ｂは表面の一部に塗布された抵抗体１１ｃを通じて接触し、角度が変わると抵抗体１１ｃの接触面積が変化して２枚の円盤１１ａ、１１ｂの間の抵抗が変化する。
【００２７】
この抵抗変化を角度検出回路１１ｄで検出し、抵抗値を角度に変換して出力している。第１ブロック２ａに固定された固定バネ１２ａが内側の円筒１０ａを押し付けて２つの円筒の位置関係を固定している。第２ブロック２ｂを回転させる場合は固定解除レバー１２ｂを押し下げて固定バネ１２ａを内側の円筒１０ａから浮かせて回転可能として、固定解除レバー１２ｂを押しながら測定者が自分に適した角度に設定し、固定解除レバー１２ｂから手を放すと再び固定バネ１２ａが内側の円筒１０ａを押し付けて設定位置に固定される。固定解除ボタン１２ｂは図のように第１ブロック２ａの円筒近くの表面に配置されており、この位置は第２の電極群２ｂを右手の親指と中指、薬指、小指で掴んだ状態で人さし指で押しやすい位置であるため、測定姿勢を試しながら簡単にすきな位置を決定できる。以上の構成により、測定者が自分の好みの角度に簡単に調整し固定でき、安定した姿勢で精度のよい測定ができる。
【００２８】
また、本実施例では、エンコーダ１１より得られた角度情報を、身長や体重の入力に用いている。生体インピーダンスを用いた体脂肪量測定は、人体を密度一定の円筒形と仮定し、円筒形の抵抗率を算出して筋肉の導体部分と脂肪の絶縁体の比を算出して求めており、抵抗は測定した生体インピーダンスから求められるが、円筒形の長さと直径は身長と体重とから推定して求めることになる。そのため本実施例のように身長測定機能や体重測定機能のない身体組成検出装置の場合、身長と体重の値の入力が必須であり、その入力が面倒であった。本実施例では、身長と体重の入力画面で身長と体重を入力する際に、第１ブロック２ａと第２ブロック２ｂの角度を変えることによりデフォルト値から変化させる速度と増減の方向を変化させている。
【００２９】
このフローチャートを図８に示す。まず、本体２の入力手段５にある電源ボタン５ａを押し電源をＯＮする（Ｓ１０１）と、身長入力画面が表示され（Ｓ１０２）、身長のデフォルト値１６０ｃｍが表示されて点滅している。この状態で固定解除ボタン１２ｂを押して固定を解除し第１ブロック２ａと第２ブロック２ｂとの角度を変えるとこの角度をエンコーダ１１が検出し（Ｓ１０３）、角度を３０°より下側にすると表示される数値が減り、角度を３０°より上側とすると表示される数値が増加する。３０°から上側または下側に角度を増していくと、表示される数値の変化速度が速くなり、角度が浅くなると変化速度が遅くなる（Ｓ１０４）。設定する値と現在の表示値の差が大きい時は角度をつけ、差が小さくなった時に角度を浅くすることにより感覚的にすばやく設定する値に近づけることができる。設定値に合わせると、決定ボタン５ｃを押し（Ｓ１０５）、数値を確定させる（Ｓ１０６）とともに、体重の入力に進む（Ｓ１０７）。体重でも身長入力時と同様な操作で設定する値に表示を合わせ、決定ボタン５ｃを押して（Ｓ１１０）数値を確定させる（Ｓ１１１）ととともに、年齢、性別入力の操作に進む（Ｓ１１２）。ここでは大人、子供と男、女による４つの組み合わせを第１ブロック２ａと第２ブロック２ｂとの角度を一定値以上変化させた時に順次表示していき、設定する組み合わせが表示された時に決定ボタン５ｃを押す（Ｓ１１５）ことにより設定が保存される（Ｓ１１６）。
【００３０】
この状態で測定開始ボタン５ｂを押す（Ｓ１１７）と、まず、エンコーダ１１の出力から第２ブロック２ｂが回転してないかどうか確認（Ｓ１１８）しているが、固定解除ボタン１２ｂにより固定が解除された状態であれば、微少な変動が発生するので、それを検出することにより固定解除の有無を調べることができる。固定が解除されてないと判定すれば、生体インピーダンス測定に移行する（Ｓ１１９）。生体インピーダンス測定では測定者が第２の電極群を掴んだ状態で１０秒ほど安静にすると、その間に電流印加手段７ａが第１の電極群３の電流極３ａと第２の電極群４の電流極４ａを介して左手の手首と右手親指の間に５０ｋＨｚ０．５ｍＡの正弦波による測定電流を印加し、電圧検出手段７ｂが第１の電極群３の電圧極３ｂと第２の電極群４の電圧極４ｂを介して左手の手首と右手親指の間の電圧を測定し、生体インピーダンス算出手段７ｃが測定電流印加手段７ａにより生体に印加される測定電流の大きさと電圧検出手段７ｂにより検出される電位差とに基づいて生体インピーダンスを算出し、体脂肪量演算手段８があらかじめ選択された年齢と性別の組み合わせから適用する算出式を選択し、生体インピーダンス測定手段７ｃが測定した生体インピーダンスと、エンコーダ１１と決定ボタン５ｂとにより入力された身長、体重を算出式に代入して体脂肪量を求め（Ｓ１２０）、求められた体脂肪量を表示手段６に表示（Ｓ１２１）して測定を終了する。
【００３１】
なお、測定終了後、６０秒間内に何の操作も行なわない場合（Ｓ１２２）、電源が自動的に落とされ（Ｓ１２３）無駄な電力を消費しない構成としている。
【００３２】
本実施例の身体組成検出装置では、第２ブロック２ｂは第１ブロック２ａに対し、角度が可変となるが、固定解除ボタン１２ｂを押して固定バネ１２ａを変形させて固定を解除しないと角度が可変しない構成としている。これは、装着作業を行ないやすくするためと、測定の精度を上げるためである。手首に装着時に第２ブロック２ｂが固定されてないと装着作業時に第２ブロックが振れて邪魔になってしまい装着作業がやり難くなってしまう。また、生体インピーダンス測定時に第２ブロックが角度が可変の状態であると、右手の指先が動くためこれを固定するには腕の根元から姿勢を固定する必要があり、この姿勢で一定時間静止させるのは力の要る困難な作業となる。そこで、本実施例のように通常は固定とし必要な時のみ可変とすることでこれらの不具合が改善され、使いやすく、かつ、安定した測定ができる身体組成検出装置を実現できる。
【００３３】
また、第２ブロックが固定された時にのみ生体インピーダンスを検出する構成とすることにより、姿勢が安定し身体の微妙な振動の影響の少ない状態でのみ生体インピーダンスを検出するので安定した正確な測定ができる。
【００３４】
上記構成により、本実施例の身体組成検出装置は、第１ブロックと第２ブロックが回転するので測定者が自分の好みの角度にすることができ、測定しやすくかつ正確な検出ができる。
【００３５】
また、固定解除ボタン１２ｂは第１ブロック２ａの円筒近くの表面に配置されており、第２の電極群２ｂを右手の親指と中指、薬指、小指で掴んだ状態で人さし指で押しやすい位置としているので、測定姿勢を取りながら簡単に回転角度を調整できる。
【００３６】
さらに、第１ブロックと第２ブロックとの角度をエンコーダで検出し、その角度を身体情報の入力に利用するので、面倒な入力作業を簡単に行なえる。
【００３７】
なお、上記実施例では、第１ブロックと第２ブロックとの固定をエンコーダ１１の出力により確認して生体インピーダンス測定を行なっているが、生体インピーダンス測定中にもエンコーダ１１の出力を確認し、回転を検出すると生体インピーダンス測定をやり直す構成でもよい。また、固定の有無の検出を固定解除ボタン１２ｂの動作をモニタして判断する構成としてもよい。
【００３８】
また、第１ブロックと第２ブロックの回転機構や固定手段の機構、エンコーダの方式などについては上記実施例で述べたものは１例に過ぎず、回転を実現する機構、固定する機構、角度を電気的に検出する素子をもつものであればいかなるものでもよく、これらの方式を限定することを本発明の主眼とするものではない。
【００３９】
上記の実施例ではいずれも身体組成検出装置の例について説明したが、両上肢間の生体情報を検出する装置であれば、身体組成検出装置に限らず適応できる。例えば、両上肢間の電位差を検出して心臓の電気活動の状況を調べる心電計にも応用でき、本発明により測定に無理がかからず、負担の少ない測定が可能であり、また、測定姿勢が安定するので、安定した出力信号が得られるといった効果がある。なお、心電計の場合、電位差を検出するのみなので、第１の電極、第２の電極とも、少なくとも一つの電極があればよく、電極群とする必要はない。
【００４０】
さらに、本発明を一部に持つ複合的な機器としてももちろんよく、手首式の血圧計と組み合わせたり、腕時計に機能を付加するなど様々な応用がある。
【００４１】
以上の発明により、使いやすくかつ正確に測定できる生体情報検出装置や身体組成検出装置が実現でき、生体情報検出装置や身体組成検出装置の一般家庭への普及をより一層進めることが可能であり、今後の高齢化社会における健康の増進に役立てることができる。
【００４２】
【発明の効果】
以上説明したように本発明は、不安定な姿勢に起因する生体の微妙な振動によるよる測定信号のノイズも少なくなるためにより正確な生体情報の検出が可能で、使いやすくかつ正確な生体情報を検出できる生体情報検出装置を提供できる。
【図面の簡単な説明】
【図１】  本発明の実施例１における身体組成検出手段のブロック図
【図２】  同装置の外観図
【図３】  同装置のフローチャート
【図４】  同装置の使用時の状態を示す図
【図５】  本発明の実施例２における身体組成検出手段のブロック図
【図６】  同装置の外観図
【図７】  同装置を構成する部品の断面図
【図８】  同装置のフローチャート
【図９】  従来の身体組成検出装置の外観図
【図１０】  従来の心電信号検出装置の外観図
【図１１】  従来の身体組成検出装置の外観図
【符号の説明】
１  バンド（装着手段）
２  本体
２ａ  第１のブロック
２ｂ  第２のブロック
３  第１の電極群（一対の電極）
４  第２の電極群（一対の電極）
５  入力手段
６  表示手段
７  生体インピーダンス測定手段
８  体脂肪量演算手段（身体組成検出手段）
１０  回転軸
１１  エンコーダ（角度検出手段）
１２ａ  固定バネ
１２ｂ  固定解除レバー
【図１】
0004055466.tif 000002
【図２】
0004055466.tif 000003
【図３】
0004055466.tif 000004
【図４】
0004055466.tif 000005
【図５】
0004055466.tif 000006
【図６】
0004055466.tif 000007
【図７】
0004055466.tif 000008
【図８】
0004055466.tif 000009
【図９】
0004055466.tif 000010
【図１０】
0004055466.tif 000011
【図１１】
0004055466.tif 000012